(57)【特許請求の範囲】
【請求項１】
基部から延設した複数の櫛歯を並設した櫛において、各櫛歯の並設方向と各櫛歯の延設方向とにそれぞれ直交する各櫛歯の幅方向における前記基部の表裏両側のうち、裏側には頂部を有する凸部を設け、その裏側にあって各櫛歯の延設方向に沿う各櫛歯の幅方向中心線からこの凸部の頂部までの最大厚みを、裏側に対し反対側になる表側にあって同幅方向中心線からの最大厚みよりも大きくし、各櫛歯の幅方向における前記基部の表裏両側のうち裏側の頂部と各櫛歯の先端部とを結ぶ面の内側には、各櫛歯の並設方向へ延びる凹みを設けたことを特徴とする櫛。
【請求項２】
基部から延設した複数の櫛歯を並設した櫛において、各櫛歯の並設方向と各櫛歯の延設方向とにそれぞれ直交する各櫛歯の幅方向における前記基部の表裏両側のうち、裏側には頂部を有する凸部を設け、その裏側にあってこの凸部の頂部と各櫛歯の先端部とを結ぶ面が、各櫛歯の延設方向に沿う各櫛歯の幅方向中心線に対しなす最大傾斜角度を、裏側に対し反対側になる表側にあって各櫛歯の延設方向の中央部と各櫛歯の先端部とを結ぶ面が同幅方向中心線に対しなす最大傾斜角度よりも大きくし、各櫛歯の幅方向における前記基部の表裏両側のうち裏側の頂部と各櫛歯の先端部とを結ぶ面の内側には、各櫛歯の並設方向へ延びる凹みを設けたことを特徴とする櫛。
【請求項３】
基部から延設した複数の櫛歯を並設した櫛において、各櫛歯の並設方向と各櫛歯の延設方向とにそれぞれ直交する各櫛歯の幅方向における前記基部の表裏両側のうち、裏側には頂部を有する凸部を設け、各櫛歯の幅方向における前記基部の表裏両側のうち裏側の頂部と各櫛歯の先端部とを結ぶ面の内側には、各櫛歯の並設方向へ延びる凹みを設けたことを特徴とする櫛。
【請求項４】
各櫛歯の幅方向における前記基部の表裏両側のうち、頂部を有する裏側に対し反対側になる表側には、各櫛歯の並設方向へ延びる窪みを設けたことを特徴とする請求項１または請求項２または請求項３に記載の櫛。
【請求項５】
基部から延設した複数の櫛歯を並設した櫛において、各櫛歯の並設方向と各櫛歯の延設方向とにそれぞれ直交する各櫛歯の幅方向における前記基部の表裏両側のうち、裏側には頂部を有する凸部を設け、その裏側にあって各櫛歯の延設方向に沿う各櫛歯の幅方向中心線からこの凸部の頂部までの最大厚みを、裏側に対し反対側になる表側にあって同幅方向中心線からの最大厚みよりも大きくし、各櫛歯の幅方向における前記基部の表裏両側のうち、頂部を有する裏側に対し反対側になる表側には、各櫛歯の並設方向へ延びる窪みを設けたことを特徴とする櫛。
【請求項６】
基部から延設した複数の櫛歯を並設した櫛において、各櫛歯の並設方向と各櫛歯の延設方向とにそれぞれ直交する各櫛歯の幅方向における前記基部の表裏両側のうち、裏側には頂部を有する凸部を設け、その裏側にあってこの凸部の頂部と各櫛歯の先端部とを結ぶ面が、各櫛歯の延設方向に沿う各櫛歯の幅方向中心線に対しなす最大傾斜角度を、裏側に対し反対側になる表側にあって各櫛歯の延設方向の中央部と各櫛歯の先端部とを結ぶ面が同幅方向中心線に対しなす最大傾斜角度よりも大きくし、各櫛歯の幅方向における前記基部の表裏両側のうち、頂部を有する裏側に対し反対側になる表側には、各櫛歯の並設方向へ延びる窪みを設けたことを特徴とする櫛。
【請求項７】
基部から延設した複数の櫛歯を並設した櫛において、各櫛歯の並設方向と各櫛歯の延設方向とにそれぞれ直交する各櫛歯の幅方向における前記基部の表裏両側のうち、裏側には頂部を有する凸部を設け、各櫛歯の幅方向における前記基部の表裏両側のうち、頂部を有する裏側に対し反対側になる表側には、各櫛歯の並設方向へ延びる窪みを設けたことを特徴とする櫛。
【発明の詳細な説明】
【０００１】
【発明の属する技術分野】
本発明は、特に、眉毛を切る場合に使用する眉毛用櫛に関するものである。
【０００２】
【従来の技術】
図７（ａ）に示す一般的な櫛１を利用して眉毛を切る場合には、下記のようにして行う。
【０００３】
図７（ｂ）（ｃ）（ｄ）に示すように、基部３の裏側を顔面Ｆに押し付け、その基部３を支えとして櫛１を頃動させることにより、顔面Ｆに対する各櫛歯６の傾斜角度βを決める。眉毛Ｉは各櫛歯６間を通して各櫛歯６から突出する。眉毛Ｉの突出長さは、各櫛歯６の傾斜角度βに応じて異なり、その傾斜角度βが小さいほど長くなる。次に、右手で持った鋏を、顔面Ｆに当てがった櫛１の表側に沿って操作すると、各櫛歯６から突出した眉毛Ｉを切ることができる。
【０００４】
【発明が解決しようとする課題】
しかし、前記基部３の表裏両側は平坦な形状であるため、各櫛歯６の傾斜角度βを決めるために櫛１を頃動操作する場合、顔面Ｆに対する支点として基部３が機能しにくい。そのため、使用時に使用者は、相当意識しない限り、ごく自然な操作の基で容易に眉毛Ｉの切断長さを決めて鋏を円滑に開閉動作させることができない。
【０００５】
また、通常、使用者は、図７（ａ）に示すように、櫛１を顔面Ｆに対しほぼ平行にして使用することが多い。そのため、各櫛歯６が顔面Ｆに接近し過ぎて、眉毛を切り過ぎるおそれがある。
【０００６】
この発明は、特に眉毛用櫛において、使用者がごく自然な操作の基で容易に眉毛の切断長さを決めて鋏を円滑に開閉動作させることができるとともに、眉毛の切り過ぎを防止することを目的としている。
【０００７】
【課題を解決するための手段及び発明の効果】
後記実施形態の図面（図１〜６）の符号を援用して本発明を説明する。
請求項１または請求項５の発明にかかる櫛は、下記の共通構成を有している。
【０００８】
基部（３）から延設した複数の櫛歯（６，７）を並設した櫛（１）において、各櫛歯（６，７）の並設方向（Ｘ）と各櫛歯（６，７）の延設方向（Ｚ）とにそれぞれ直交する各櫛歯（６，７）の幅方向（Ｙ）における前記基部（３）の表裏両側のうち、裏側には頂部（１５）を有する凸部（１４）を設け、その裏側にあって各櫛歯（６，７）の延設方向（Ｚ）に沿う各櫛歯（６，７）の幅方向中心線（６ａ，７ａ）からこの凸部（１４）の頂部（１５）までの最大厚み（Ｔ１５）を、裏側に対し反対側になる表側にあって同幅方向中心線（６ａ，７ａ）からの最大厚み（Ｔ２１）よりも大きくした。この場合、基部（３）の裏側の最大厚み（Ｔ１５）と基部（３）の表側の最大厚み（Ｔ２１）との比率（Ｔ１５／Ｔ２１）を、２以上４０以下にすることが好ましい。なお、各櫛歯（６，７）の幅方向（Ｙ）の最大厚み（Ｔ６，Ｔ７）は、基部（３）の裏側の最大厚み（Ｔ１５）よりも小さく、基部（３）の表側の最大厚み（Ｔ２１）よりも大きくなっている。また、基部（３）の裏側の最大厚み（Ｔ１５）を２ｍｍ以上８ｍｍ以下にするとともに、基部（３）の表側の最大厚み（Ｔ２１）を０．２ｍｍ以上２ｍｍ以下にすることが好ましい。
【０００９】
請求項２または請求項６の発明にかかる櫛は、下記の共通構成を有している。
基部（３）から延設した複数の櫛歯（６，７）を並設した櫛（１）において、各櫛歯（６，７）の並設方向（Ｘ）と各櫛歯（６，７）の延設方向（Ｚ）とにそれぞれ直交する各櫛歯（６，７）の幅方向（Ｙ）における前記基部（３）の表裏両側のうち、裏側には頂部（１５）を有する凸部（１４）を設け、その裏側にあってこの凸部（１４）の頂部（１５）と各櫛歯（６，７）の先端部（１３）とを結ぶ面（Ｐ）が、各櫛歯（６，７）の延設方向（Ｚ）に沿う各櫛歯（６，７）の幅方向中心線（６ａ，７ａ）に対しなす最大傾斜角度（θ１５）を、裏側に対し反対側になる表側にあって各櫛歯（６，７）の延設方向（Ｚ）の中央部（窪み１９の両端縁部２０間の中央部２１）と各櫛歯（６，７）の先端部（１３）とを結ぶ面（Ｑ）が同幅方向中心線（６ａ，７ａ）に対しなす最大傾斜角度（θ２１）よりも大きくした。この場合、基部（３）の裏側の最大傾斜角度（θ１５）と基部（３）の表側の最大傾斜角度（θ２１）との比率（θ１５／θ２１）を、５以上４５以下にすることが好ましい。また、基部（３）の裏側の最大傾斜角度（θ１５）を１０度以上５０度以下にするとともに、基部（３）の表側の最大傾斜角度（θ２１）を０．５度以上１０度以下にすることが好ましい。
【００１０】
請求項３または請求項７の発明にかかる櫛は、下記の共通構成を有している。
基部（３）から延設した複数の櫛歯（６，７）を並設した櫛（１）において、各櫛歯（６，７）の並設方向（Ｘ）と各櫛歯（６，７）の延設方向（Ｚ）とにそれぞれ直交する各櫛歯（６，７）の幅方向（Ｙ）における前記基部（３）の表裏両側のうち、裏側には頂部（１５）を有する凸部（１４）を設けた。
【００１１】
図５（ａ）（ｂ）（ｃ）に示すように、基部（３）の裏側の頂部（１５）付近を顔面（Ｆ）に押し付け、その頂部（１５）付近を支えとして櫛（１）を頃動させることにより、顔面（Ｆ）に対する各櫛歯（６，７）の傾斜角度（β）を決める。眉毛（Ｉ）は各櫛歯（６，７）間を通して各櫛歯（６，７）から突出する。眉毛（Ｉ）の突出長さは、各櫛歯（６，７）の傾斜角度（β）に応じて異なり、その傾斜角度（β）が小さいほど長くなる。次に、右手で持った鋏を、顔面（Ｆ）に当てがった櫛（１）の表側に沿って操作すると、各櫛歯（６，７）から突出した眉毛（Ｉ）を切ることができる。
【００１２】
請求項１，５、請求項２，６及び請求項３，７の発明では、各櫛歯（６，７）の傾斜角度（β）を決めるために櫛（１）を頃動操作する場合、顔面（Ｆ）に対する支点として機能する頂部（１５）を基部（３）の裏側に対し積極的に形成した。そのため、使用時には使用者がさほど意識することなくその頂部（１５）付近が自ずと顔面（Ｆ）に当てがわれる状態となり、使用者はごく自然な操作の基で容易に眉毛（Ｉ）の切断長さを決めて鋏を円滑に開閉動作させることができる。特に、この頂部（１５）があると、請求項６の発明のような左右両利き用の場合に使い易くなる。
【００１３】
また、通常、使用者は、図５（ａ）に示すように、櫛（１）を顔面（Ｆ）に対しほぼ平行にして使用することが多いので、前記頂部（１５）付近が顔面（Ｆ）に当てがわれると、各櫛歯（６，７）は顔面（Ｆ）から離間し易くなり、眉毛の切り過ぎを防止することができる。
さらに、請求項１、請求項２及び請求項３の発明では、各櫛歯（６，７）の幅方向（Ｙ）における前記基部（３）の表裏両側のうち裏側の頂部（１５）と各櫛歯（６，７）の先端部（１３）とを結ぶ面（Ｐ）の内側には、各櫛歯（６，７）の並設方向（Ｘ）へ延びる凹み（１８）を設けた。従って、凹み（１８）の形成により各櫛歯（６，７）の厚みを小さくすることができるとともに、前記頂部（１５）付近を顔面（Ｆ）に当てがった場合にこの凹み（１８）が顔面（Ｆ）の凹凸に対する逃げ空間となるので、使用者はごく自然な操作の基でより一層容易に眉毛（Ｉ）の切断長さを決めて鋏を円滑に開閉動作させることができる。
さらに、請求項５、請求項６及び請求項７の発明では、各櫛歯（６，７）の幅方向（Ｙ）における前記基部（３）の表裏両側のうち、頂部（１５）を有する裏側に対し反対側になる表側には、各櫛歯（６，７）の並設方向（Ｘ）へ延びる窪み（１９）を設けた。従って、窪み（１９）の形成により鋏を各櫛歯（６，７）の表側に接触させ易くなるので、使用者はごく自然な操作の基でより一層容易に眉毛（Ｉ）の切断長さを決めて鋏を円滑に開閉動作させることができる。
【００１６】
請求項４の発明は、請求項１または請求項２または請求項３の発明を前提として下記のように構成されている。
【００１７】
各櫛歯（６，７）の幅方向（Ｙ）における前記基部（３）の表裏両側のうち、頂部（１５）を有する裏側に対し反対側になる表側には、各櫛歯（６，７）の並設方向（Ｘ）へ延びる窪み（１９）を設けた。請求項４の発明では、請求項１または請求項２または請求項３の発明の効果に加え、窪み（１９）の形成により鋏を各櫛歯（６，７）の表側に接触させ易くなるので、使用者はごく自然な操作の基でより一層容易に眉毛（Ｉ）の切断長さを決めて鋏を円滑に開閉動作させることができる。
【００２２】
【発明の実施の形態】
以下、本発明の一実施形態にかかる櫛について図1〜５を参照して説明する。
図１及び図２に示す櫛１はプラスチックにより一体成形されている。この櫛１においては、把持柄２と一体に成形された基部３の両側にそれぞれ複数の櫛歯６，７が基部３から片持ち梁状に延設されて互いに隙間８，９をあけて平行に並設され、この各櫛歯６，７を含む両櫛歯群４，５間で基部３が挟まれている。この各櫛歯６，７は略同一の形状及び大きさをなす一本の棒状に成形され、互いに平行である基部３の両端縁１０，１１からの各櫛歯６，７の長さＬや、各櫛歯６，７にあってその基端部１２から半球状の先端部１３にわたる円形断面積は、それぞれ略同一に設定されている。
【００２３】
図５に示すように、前記各櫛歯６，７の並設方向Ｘと各櫛歯６，７の延設方向Ｚとにそれぞれ直交する各櫛歯６，７の幅方向Ｙにおける前記基部３の表裏両側のうち、裏側には凸部１４が各櫛歯６，７の並設方向Ｘへ延びるように各櫛歯６，７に隣接して形成されている。この凸部１４は頂部１５の付近で略半円形状の外周面１６を有し、この外周面１６から凹面１７が各櫛歯６，７に対し滑らかに連続している。この頂部１５と各櫛歯６，７の先端部１３とを結ぶ裏側想定面Ｐの内側には、凹面１７に面する凹み１８が各櫛歯６，７の並設方向Ｘへ延びるように形成されている。
【００２４】
前記基部３の両側にある櫛歯群４，５のうち、一方の櫛歯群４にあって各櫛歯６の延設方向Ｚに沿う各櫛歯６の幅方向中心線６ａと、他方の櫛歯群５にあって各櫛歯７の延設方向Ｚに沿う各櫛歯７の幅方向中心線７ａとがなす交差角度αは、略１８０度に設定されている。なお、本実施例の場合、各櫛歯６，７の幅方向中心線６ａ，７ａとは、各櫛歯６，７の幅方向Ｙでその先端部１３における各櫛歯６，７の厚みの中央部を通る直線である。各櫛歯６，７の幅方向Ｙにおける基部３の表裏両側のうち、表側には窪み１９が各櫛歯６，７の並設方向Ｘへ延びるように各櫛歯６，７に隣接して形成されている。
【００２５】
各櫛歯６，７の幅方向Ｙにおける基部３の表裏両側のうち、裏側にあって各櫛歯６，７の幅方向中心線６ａ，７ａから凸部１４の頂部１５までの最大厚みをＴ１５とする。同じく表側にあって、同幅方向中心線６ａ，７ａから、各櫛歯６，７の基端部１２に隣接する前記窪み１９の両端縁部２０間の中央部２１までの最大厚みをＴ２１とする。この最大厚みＴ１５はこの最大厚みＴ２１よりも大きくなっている。なお、各櫛歯６，７の幅方向Ｙでその基端部１２の最大厚みＴ６，Ｔ７は、基部３の裏側の最大厚みＴ１５よりも小さく、基部３の表側の最大厚みＴ２１よりも大きくなっている。また、各櫛歯６，７の幅方向Ｙにおける基部３の表裏両側のうち、裏側にあって凸部１４の頂部１５と各櫛歯６，７の先端部１３とを結ぶ裏側想定面Ｐが各櫛歯６，７の幅方向中心線６ａ，７ａに対しなす最大傾斜角度をθ１５とする。同じく表側にあって、前記両端縁部２０間の中央部２１と各櫛歯６，７の先端部１３とを結ぶ表側想定面Ｑが同幅方向中心線６ａ，７ａに対しなす最大傾斜角度をθ２１とする。この最大傾斜角度θ１５はこの最大傾斜角度θ２１よりも大きくなっている。
【００２６】
このように構成された櫛１は、例えば下記＊のようにして使用する。
＊  図３に示すように右利き用として使用する場合の一例
図３（ａ）に示すように、左手で把持柄２を持って櫛１を顔面Ｆの前で横向きにする。両櫛歯群４，５のうち下側になる櫛歯群４の裏側を、左右両眉毛Ｉのうち一方の眉毛Ｉに当てがう。その場合、図５（ａ）（ｂ）（ｃ）に示すように、凸部１４を顔面Ｆに押し付け、その凸部１４を支えとして櫛１を頃動させることにより、顔面Ｆに対する下側櫛歯群４の傾斜角度βを決める。ちなみに、この傾斜角度βは前記裏側想定面Ｐが顔面Ｆに対しなす角度である。眉毛Ｉは下側櫛歯群４の各櫛歯６間の隙間８を通して下側櫛歯群４から突出する。眉毛Ｉの突出長さは、下側櫛歯群４の傾斜角度βに応じて異なり、その傾斜角度βが小さいほど長くなる。なお、この傾斜角度βは図５（ｂ）、図５（ａ）、図５（ｃ）の順に大きくなる。次に、右手で持った鋏を、顔面Ｆに当てがった櫛１の表側に沿って操作すると、下側櫛歯群４から突出した眉毛Ｉを切ることができる。また、図３（ｂ）に示すように把持柄２を右手に持ち替えて使用してもよい。
【００２７】
＊  図４に示すように左利き用として使用する場合の一例
図４（ａ）に示すように、右手で把持柄２を持って櫛１を顔面Ｆの前で横向きにする。両櫛歯群４，５のうち下側になる櫛歯群５の裏側を、左右両眉毛Ｉのうち一方の眉毛Ｉに当てがう。その状態は、右利き用の場合と同様である。次に、左手で持った鋏を、顔面Ｆに当てがった櫛１の表側に沿って操作すると、下側櫛歯群５から突出した眉毛Ｉを切ることができる。また、図４（ｂ）に示すように把持柄２を左手に持ち替えて使用してもよい。
【００２８】
〔別例〕
＊  前記実施形態において、両櫛歯群４，５のうち一方のものを省略する。
＊  図６（ａ）に示すように、前記実施形態にかかる櫛１の裏側において、各櫛歯６，７の先端部１３と基部３の凸部１４の頂部１５との間にある両凹み１８を省略する。
【００２９】
＊  図６（ｂ）に示すように、前記実施形態にかかる櫛１の表側において、基部３の両端縁部２０間にある窪み１９を省略する。
＊  図６（ｃ）に示すように、前記実施形態において、裏側の両凹み１８と表側の窪み１９とを共に省略する。
【図面の簡単な説明】
【図１】  （ａ）は本実施形態にかかる櫛を示す正面図であり、（ｂ）は同じく平面図であり、（ｃ）は同じく背面図である。
【図２】  （ａ）は図１（ａ）のＡ−Ａ線断面図であり、（ｂ）は図１（ａ）のＢ−Ｂ線断面図であり、（ｃ）は図１（ａ）のＣ−Ｃ線拡大断面図であり、（ｄ）は図１（ａ）のＤ−Ｄ線断面図である。
【図３】  本実施形態にかかる櫛を右利き用として使用した状態を示す正面図である。
【図４】  同じく左利き用として使用した状態を示す正面図である。
【図５】  各種使用状態を示す図１（ａ）のＢ−Ｂ線拡大断面図である。
【図６】  各種別例を示す拡大断面図である。
【図７】  （ａ）は従来の櫛を示す正面図であり、（ｂ）（ｃ）（ｄ）はそれぞれ各種使用状態を示す図７（ａ）のＥ−Ｅ線拡大断面図である。
【符号の説明】
１…櫛、３…基部、４…櫛歯群、５…櫛歯群、６…櫛歯、６ａ…幅方向中心線、７…櫛歯、７ａ…幅方向中心線、１３…櫛歯先端部、１４…基部の凸部、１５…凸部の頂部、１８…凹み、１９…基部の窪み、２１…窪みの両端縁部間の中央部（端部）、Ｘ…櫛歯並設方向、Ｙ…幅方向、Ｚ…櫛歯延設方向、Ｔ１５…基部裏側の最大厚み、Ｔ２１…基部表側の最大厚み、Ｐ…裏側想定面、Ｑ…表側想定面、θ１５…裏側想定面の最大傾斜角度、θ２１…表側想定面の最大傾斜角度、α…幅方向中心線の交差角度。
【図１】
0004038366.tif 000002
【図２】
0004038366.tif 000003
【図３】
0004038366.tif 000004
【図４】
0004038366.tif 000005
【図５】
0004038366.tif 000006
【図６】
0004038366.tif 000007
【図７】
0004038366.tif 000008